(57)【要約】【課題】切断対象物に応じて使いやすいテコ比や開き角度で切断加工を行うことが可能な金切鋏を提供する。【解決手段】上刃鋏部１０と下刃鋏部２０とが要ネジ３１で軸支されてなり、上刃鋏部１０は、上刃板１１と中間板１３が延設された上刃把持部１２とからなり、上刃板１１の第一軸孔１４、中間板１３の第一軸孔１５に第一軸３２が挿入されて軸支され、中間板１３上の第一軸孔１５よりも先端側に第二軸３３と第三軸３４とのいずれかが選択的に挿入される長孔１７が形成され、下刃鋏部２０は、下刃板２１と下刃把持部２２とが一体接続されてなり、下刃板２１上に第二軸孔２３および第三軸孔２４が形成され、第二軸孔２３に挿入された第二軸３３と第三軸孔２４に挿入された第三軸３４とのいずれか一つを選択的に突出させて中間板１３の長孔１７に挿入させる軸切替機構３６を備える構成とする。【選択図】図１
2018057555.tif 000002
【特許請求の範囲】
【請求項１】
上刃が形成された上刃板を有する上刃鋏部と、下刃が形成された下刃板を有する下刃鋏部とが、前記上刃および前記下刃の根元付近に設けた要ネジで軸支される金切鋏であって、
前記上刃鋏部は、前記上刃板と、前記上刃板から分離し片端に中間板が延設された上刃把持部とからなり、前記上刃板の上刃の切先とは反対端近傍位置および前記中間板上の前記上刃把持部近傍位置に設けられた第一軸孔どうしに第一軸が挿入されて、前記上刃板と前記中間板とは前記中間板が前記下刃板との間に挟まるようにして回動可能に軸支され、
前記中間板上の第一軸孔よりも先端側に第二軸と第三軸とのいずれかが選択的に挿入される長孔が形成され、
前記下刃鋏部は、前記下刃板と、前記下刃板の下刃の切先とは反対端で前記下刃板に一体接続される下刃把持部とからなり、
前記下刃板上の前記要ネジと前記下刃把持部との間に第二軸孔および第三軸孔が形成され、
さらに、前記第二軸孔に挿入された第二軸と前記第三軸孔に挿入された第三軸とのいずれか一つを選択的に突出させて前記中間板に設けられた前記長孔に挿入させる軸切替機構を備えたことを特徴とする金切鋏。
【請求項２】
前記軸切替機構は、前記下刃板に設けられたシーソースイッチにより形成される請求項１に記載の金切鋏。
【請求項３】
上刃が形成された上刃板を有する上刃鋏部と、下刃が形成された下刃板を有する下刃鋏部とが、前記上刃および前記下刃の根元付近に設けた要ネジで軸支される金切鋏であって、
前記上刃鋏部は、前記上刃板と、前記上刃板から分離し片端に中間板が延設された上刃把持部とからなり、前記上刃板の上刃の切先とは反対端近傍位置および前記中間板上の前記上刃把持部近傍位置に設けられた第一軸孔どうしに第一軸が挿入されて、前記上刃板と前記中間板とは前記中間板が前記下刃板との間に挟まるようにして回動可能に軸支され、
前記中間板上の第一軸孔よりも先端側に長孔が形成され、
前記下刃鋏部は、前記下刃板と、前記下刃板の下刃の切先とは反対端で前記下刃板に一体接続される下刃把持部とからなり、
前記下刃板上の前記要ネジと前記下刃把持部との間にあって、前記上刃と前記下刃とを閉じた状態で前記中間板に形成された長孔が対向する位置に複数の位置選択用軸孔が形成されるとともに、前記位置選択用軸孔のいずれか一つに前記中間板の長孔まで達する調整軸が選択的に挿入されることを特徴とする金切鋏。
【発明の詳細な説明】
【技術分野】
【０００１】
本発明は、金属板あるいは金属線のように板厚や太さに応じて切断に要する力が大きく変化する材料の切断に適した金切鋏に関する。以下、本発明にいう「金切鋏」とは、板金等の金属板材の切断に用いるものに限られず、電線等の金属線材を切断する際に用いられるニッパ等も含むものである。
また、本発明における金切鋏は、支軸（支点）となる要ネジを挟んで、片側に刃（作用点）、他方側に把持部（力点）が形成された鋏（いわゆる「洋鋏」と称されるもの）をいう。
【背景技術】
【０００２】
一般的に、鋏は、要ネジを支軸として刃をＶ字状に開いた状態にして被切断対象物を刃の間に挟み、把持部に力を加えて刃を閉じるのに伴ってＶ字に開いた刃の角度が閉じていき、作用点となる刃の切断位置（上刃および下刃の交点）が、要ネジに近い刃の根元部分から、刃の先端部分（切先）に移動しながら切断が行われる。
【０００３】
このとき、要ネジと把持部との距離は一定であるが、作用点となる切断位置と要ネジとの距離は、刃の角度が閉じるにつれて次第に離れていく。テコの原理により、切断位置（作用点）が要ネジ（支軸）に近い位置にある切断開始時点では、切断に必要な力は小さく、切断位置が要ネジから離れるにつれ、切断に必要な力は次第に大きくなる。
【０００４】
特に、金属板を切断する金切鋏では、紙等を切断する文房具の鋏に比べて大きな切断力が必要となることから、刃の長さを短く、把持部の長さを長くして、テコ比を大きくすることがなされている。
【０００５】
このような金切鋏において、切れ味を良好にするとともに、より力強く切断できる倍力作用を有する鋏として、「倍力なで切鋏」と称する鋏が開示されている（特許文献１参照）。
これによれば、図１２に示すように、上刃板１０１の軸着部（要ネジ）１０２の軸孔１０２Ａを長孔に形成して上刃板１０１を摺動自在に設け、上刃板１０１と上側握柄（上刃把持部）１０３とを分離し、上側握柄１０３の分断先端部分１０３Ａを下側握柄１０４の軸着部１０２の軸孔１０５よりも少し下方の軸孔１０６に軸着し、上刃板１０１の分断下端部分１０１Ａを少し延長して上側握柄１０３の分断先端部分１０３Ａに重合させて、上側握柄１０３の分断先端部分１０３Ａの軸孔１０６より下方に離れた軸孔１０７に軸着するようにしている。
【０００６】
この鋏１００では、上側握柄１０３、下側握柄１０４を閉じていくと、軸孔１０２Ａを長孔としたことにより上刃板１０１がスライドしてなで切り作用を奏するとともに、テコの作用を二重に用いて倍力作用を奏するようにしている。すなわち軸孔１０７の軸を力点とし、軸孔１０５（軸孔１０２Ａ）の軸（軸着部１０２）を支点、刃の切断位置を作用点とする第一のテコ、上側握柄１０３上および下側握柄１０４上を力点とし、軸孔１０６の軸を支点、軸孔１０７の軸を作用点とする第二のテコとの協動作用により倍力作用を奏している。
【先行技術文献】
【特許文献】
【０００７】
【特許文献１】実公昭５９−３３３３３号公報
【発明の概要】
【発明が解決しようとする課題】
【０００８】
従来の金切鋏は、大きな切断力を得ることを目的として、上記のなで切り作用や二重テコによる倍力作用を用いて、小さな力で大きな切断力を得ることを目的とした工夫がなされてきた。
【０００９】
しかしながら、金切鋏であっても常に最大の切断力で切断することが望ましいわけではない。すなわち、大きな切断力で分厚い金属板を切りやすくするだけでなく、薄い金属板をゆっくり丁寧に切断したいこともある。すなわち、刃の開き角を抑えて少しずつ切断したいこともある。その場合、上述したなで切り作用や倍力作用を奏する金切鋏では必ずしも使い勝手がよくなかった。
【００１０】
本発明は、金属板の板厚や、硬さ、切断の精度に応じて、大きな切断力で切断することができるだけでなく、刃の開き角を抑えて少しずつ切断することができるようにした金切鋏を提供することを目的とする。
【課題を解決するための手段】
【００１１】
上記課題を解決するためになされた本発明の金切鋏は、上刃が形成された上刃板を有する上刃鋏部と、下刃が形成された下刃板を有する下刃鋏部とが、前記上刃および前記下刃の根元付近に設けた要ネジで軸支される金切鋏であって、前記上刃鋏部は、前記上刃板と、前記上刃板から分離し片端に中間板が延設された上刃把持部とからなり、前記上刃板の上刃の切先とは反対端近傍位置および前記中間板上の前記上刃把持部近傍位置に設けられた第一軸孔どうしに第一軸が挿入されて、前記上刃板と前記中間板とは前記中間板が前記下刃板との間に挟まるようにして回動可能に軸支され、前記中間板上の第一軸孔よりも先端側に第二軸と第三軸とのいずれかが選択的に挿入される長孔が形成され、前記下刃鋏部は、前記下刃板と、前記下刃板の下刃の切先とは反対端で前記下刃板に一体接続される下刃把持部とからなり、前記下刃板上の前記要ネジと前記下刃把持部との間に第二軸孔および第三軸孔が形成され、さらに、前記第二軸孔に挿入された第二軸と前記第三軸孔に挿入された第三軸とのいずれか一つを選択的に突出させて前記中間板に設けられた前記長孔に挿入させる軸切替機構を備えるようにしている。
ここで、前記軸切替機構は、前記下刃板に設けられたシーソースイッチにより形成されるようにしてもよい。
【００１２】
本発明によれば、Ｖ字に開いた刃の間に被切断対象物を挟み、上刃把持部と下刃把持部とに力を加えると、二重のテコ作用で刃に切断力が加わる。すなわち、刃を作用点、要ネジを支点、第一軸を力点とする上刃板を用いた第一のテコ作用、第一軸を作用点、第二軸あるいは第三軸を支点、把持部を力点とする中間板による第二のテコ作用が働くようになる。
【００１３】
そして、下刃板に設けられている軸切替機構を操作することにより、第二軸と第三軸を選択的に中間板の長孔に挿入して第二テコ作用における支点の位置を切り替えることができる。第二軸と第三軸とは位置が異なるので、第二軸と第一軸との距離および第三軸と第一軸との距離が異なることになり、テコ比を変更することができる。一方、把持部側の開き角度が同じ程度であっても支点位置を変更することで刃の開き角度を変えることができるようになり、刃を大きく開いて力強く切断するだけでなく、小さく開いて刃の切先（先端部分）付近だけで丁寧に切断することもできるようになる。
【００１４】
また、他の観点からなされた本発明の金切鋏は、上刃が形成された上刃板を有する上刃鋏部と、下刃が形成された下刃板を有する下刃鋏部とが、前記上刃および前記下刃の根元付近に設けた要ネジで軸支される金切鋏であって、前記上刃鋏部は、前記上刃板と、前記上刃板から分離し片端に中間板が延設された上刃把持部とからなり、前記上刃板の上刃の切先とは反対端近傍位置および前記中間板上の前記上刃把持部近傍位置に設けられた第一軸孔どうしに第一軸が挿入されて、前記上刃板と前記中間板とは前記中間板が前記下刃板との間に挟まるようにして回動可能に軸支され、前記中間板上の第一軸孔よりも先端側に長孔が形成され、前記下刃鋏部は、前記下刃板と、前記下刃板の下刃の切先とは反対端で前記下刃板に一体接続される下刃把持部とからなり、前記下刃板上の前記要ネジと前記下刃把持部との間にあって、前記上刃と前記下刃とを閉じた状態で前記中間板に形成された長孔が対向する位置に複数の位置選択用軸孔が形成されるとともに、前記位置選択用軸孔のいずれか一つに前記中間板の長孔まで達する調整軸が選択的に挿入されるようにしてある。
これにより、選択した位置選択用軸孔の位置によりテコ比や刃の開き角度を選択して切断することができる。
【発明の効果】
【００１５】
本発明によれば、第一のテコと第二のテコとにより二重に力を増大させるとともに、一方のテコの支軸の位置を選択的に変化させることで、テコ比のみならず刃の開き角度を変更することができるようになる。これにより、被切断対象物に応じて使いやすいテコ比や開き角度で切断加工を行うことができる。
【図面の簡単な説明】
【００１６】
【図１】本発明の一実施形態である金切鋏を示す平面図。
【図２】本発明の一実施形態である金切鋏を示す正面図。
【図３】本発明の一実施形態である金切鋏を示す背面図。
【図４】図１〜３における上刃鋏部を示す平面図。
【図５】図１〜３における下刃鋏部を示す平面図。
【図６】中間板の変形例を示す平面図。
【図７】図１〜３における切断時のシーソースイッチ中立状態を示す図。
【図８】図７同様の第二軸挿入時の状態を示す図。
【図９】図７同様の第三軸挿入時の状態を示す図。
【図１０】テコ比を説明する模式図。
【図１１】本発明の変形実施形態である金切鋏を示す図。
【図１２】従来例の倍力なで切り鋏を示す平面図。
【発明を実施するための形態】
【００１７】
以下、本発明に係る金切鋏について図を用いて説明する。図１〜３は、本発明の一実施形態である金切鋏の平面、正面、背面を示す図である。
金切鋏１は、上刃１０ａが形成された上刃鋏部１０と、下刃２０ａが形成された下刃鋏部２０とからなる。
【００１８】
上刃鋏部１０と下刃鋏部２０とは、上刃１０ａ、下刃２０ａの根元近くのネジ孔３０で要ネジ３１によって回動可能に軸支され、上刃１０ａと下刃２０ａとは、それぞれの刃が開いた状態から閉じられることで切断できるようにしてある。
【００１９】
図４、５は、説明の便宜上、要ネジ３１を外して上刃鋏部１０および下刃鋏部２０を分解したときの各主要部品を示す平面図である。以下では、図１〜３とともに図４、５を参照しつつ説明する。
【００２０】
上刃鋏部１０は、上刃板１１と上刃把持部１２とが分離し、上刃把持部１２の上刃板１１に近い側の端部に中間板１３が延設してある。
下刃鋏部２０は、下刃板２１と下刃把持部２２とからなり、切先２０ｂとは反対端となる下刃板２１の後側端部に下刃把持部２２が一体的に接続された構造にしてある。
【００２１】
上刃板１１と下刃板２１は、要ネジ３１（ネジ孔３０）よりも後側（要ネジ３１よりも上刃把持部１２および下刃把持部２２に近い側）において、板厚を薄くして空間を形成し、中間板１３を上刃板１１と下刃板２１の間に挟むことができるようにしてある。すなわち、上刃板１１と下刃板２１の双方の肉厚を薄くするように段差１１ａ、２１ａを設け、中間板１３を介在させる空間を形成してある。なお、上刃板１１と下刃板２１のいずれか一方だけに段差を設けて空間を形成してもよい。
【００２２】
上刃板１１の要ネジ３１より後側の端部近傍位置（切先１０ｂから見て反対端近傍位置）には第一軸孔１４が形成してある。また、中間板１３の上刃把持部１２の近傍位置にも第一軸孔１５が形成してある。そして、第一軸孔１４、１５が重ねられた状態で第一軸３２が挿入されて回動可能に軸支されるようにしてある（図１参照）。このように、上刃板１１と中間板１３（および上刃把持部１２）とは第一軸３２を支軸として回動可能に連結してある。
【００２３】
中間板１３には、第一軸孔１５の位置よりも先端側（上刃把持部１２から遠い側）に直線状の長孔１７が形成してある。この長孔１７には、詳細は後述するが、下刃板２１に取り付けてある第二軸３３、第三軸３４がシーソースイッチ（軸切替機構）３６により選択的に突出されて挿入されるようにしてある。但し、刃が閉じた状態のときは、図１に示すようにシーソースイッチ３６を中立状態とすることで第二軸３３と第三軸３４の先端部分が同時に長孔１７に挿入可能になる。この長孔１７は、上刃１０ａ、下刃２０ａを最も開いた状態から閉じた状態まで開閉するときに、長孔１７内に挿入されている第二軸３３、第三軸３４が長孔１７の壁に当接せず移動できるように、長孔１７の長さと形状が設計されている。
【００２４】
なお、本実施形態では、長孔１７の延長線上に第一軸孔１４、１５を形成しているが、第一軸孔１４、１５の位置を長孔１７の斜めに移動したり、長孔１７からの距離を調整したりして位置関係を少し調整することにより、テコ比や上刃把持部１２と下刃把持部２２との開き角度を変更することができる。
【００２５】
さらに、中間板１３の第一軸孔１５の横（図４では下側）には、上刃板１１、下刃板２１と当接させるストッパピン３５を固定するピン孔１８が設けてあり、また、上刃板１１および下刃板２１にはストッパピン３５の移動範囲を制限する切り欠き１０ｃ、２０ｃが形成してあり、このストッパピン３５が切り欠き１０ｃ、２０ｃに当接することで刃の開閉範囲を制限するようにしてある。
また、刃が閉じられたときに上刃把持部１２と下刃把持部２２とが過度に接近しないようにするため、第一軸３２を軸とした中間板１３と上刃板１１との間の回転を補助的に制限するためのストッパピン３８が上刃板１１に設けられ、中間板１３に形成された切り欠き１０ｄに当接するようにしてある。
【００２６】
下刃板２１上の要ネジ３１（ネジ孔３０）と下刃把持部２２との間にあって中間板１３と面する部分には、上刃１０ａ、下刃２０ａを閉じた状態で、中間板１３の長孔１７と対向する位置に、第二軸孔２３と第三軸孔２４が形成してある。第二軸孔２３には第二軸３３が挿入され、第三軸孔２４には第三軸３４が挿入され、背面側（中間板１３とは反対側）に設けたシーソースイッチ３６によっていずれか一方の軸を長孔１７に挿入させるとともに他方の軸を下刃板２１の内側に引っ込めるようにしてある。軸の長さは、シーソースイッチ３６を中立状態にしたときに第二軸３３と第三軸３４の先端部分がともに長孔１７に少し入り込む長さにしてある。長孔１７に挿入する軸を切り替えるには、刃を閉じて長孔１７に両軸３３、３４が入り込める状態にして行うことになる。
【００２７】
軸切替機構となるシーソースイッチ３６は、第二軸３３と第三軸３４の背面側を覆うスイッチ板３６ａが中央の支軸３６ｂで揺動できるように支持され、この支軸３６ｂは一対の支持壁３６ｃで支持される。第二軸３３とスイッチ板３６ａ、第三軸３４とスイッチ板３６ａとは、支軸３６ｂと平行に並ぶリンク軸（図示略）により軸支連結され、スイッチ板３６ａの上下動に連動して第二軸３３および第三軸３４が第二軸孔２３、第三軸孔２４内を上下に移動できるようにしてある。
【００２８】
なお、図４で示した中間板１３の長孔１７は一つにしてあるが、図６に示すように、長孔１７を、第二軸３３用の長孔１７ａと、第三軸３４用の長孔１７ｂとに分けて形成してもよい。（後述する図７〜９では、二つの長孔１７ａ、１７ｂに分けた例を示す。）
【００２９】
また、中間板１３と下刃板２１との間には、上刃把持部１２と下刃把持部２２とが強制的に所定の角度に開かれるように復帰させるバネ３９（図２、３参照）が設けてある。
【００３０】
次に、本発明に係る金切鋏１における切断時の各部の動きについて、図７〜９を参照しつつ説明する。図７は刃を閉じてシーソースイッチ３６を中立状態にした図であり、図８は第二軸３３を長孔１７ａに挿入して刃を開いた状態を示す図、図９は第三軸３４を長孔１７ｂに挿入して刃を開いた状態を示す図である。
図７〜９では、第一軸３２、第二軸３３、第三軸３４と各軸孔の位置関係や、上刃板１１、中間板１３、下刃板２１、上刃把持部１２、下刃把持部２２の位置関係を説明する便宜上、背面側から見た図とし、また、シーソースイッチ３６の一部を省略し、各部分の構造を重ね合わせて表示するようにして、実際には隠れてしまう部分もシースルーで表示してある。
【００３１】
上刃１０ａ、下刃２０ａを閉じた状態にすると、図７に示すように、要ネジ３１よりも後側では上刃板１１、中間板１３、下刃板２１が重なり合い、第二軸３３は中間板１３の長孔１７ａに対向し、第三軸３４は長孔１７ｂに対向する。
【００３２】
中間板１３から突出するストッパピン３５が下刃板２１の切り欠き２０ｃに当接することにより、また上刃板１１から突出するストッパピン３８が中間板１３に形成された切り欠き１０ｄに当接することにより、上刃把持部１２と下刃把持部２２とが最接近した（刃が閉じた）状態の位置が定まる。このときにシーソースイッチ３６を操作することで第二軸３３、第三軸３４のいずれか一方を選択的に長孔１７ａ、１７ｂのいずれかに挿入し、他方を中間板１３から引っ込めることができる。
【００３３】
なお、シーソースイッチ３６を中立状態にしておくと、第二軸３３、第三軸３４の先端部分がともに中間板１３に入った状態になるため、第一軸３２を中心とする回転が制限されてロック状態になる。
【００３４】
図８は、図７において第二軸３３を長孔１７ａに挿入して（したがって第三軸３４は引っ込めた状態で）、下刃把持部２２に対し上刃把持部１２を開いた状態を示す図である。
上刃把持部１２が（中間板１３とともに）開かれると、第二軸３３は長孔１７ａ内でスライドし、長孔１７ａの孔壁に第二軸３３が当接した位置で上刃把持部１２が最大に開いた状態となって動きが制限される。このとき、第三軸３４は下刃板２１側に引っ込められているので、長孔１７ｂから外れた位置に移動することができる。
長孔１７ａは、上刃１０ａと下刃２０ａとが根元まで完全に開くまで第二軸３３がスライドできるように長孔１７ａの長軸方向の長さを調整するとともに、最大に開いた状態で把持部１２、２２を手で持てるように長孔１７ａの位置を調整してある。
【００３５】
図９は、図７において第三軸３４を長孔１７ｂに挿入して（したがって第二軸３３は引っ込めた状態で）、下刃把持部２２に対し上刃把持部１２を開いた状態を示す図である。
上刃把持部１２が（中間板１３とともに）開かれると、第三軸３４は長孔１７ｂ内でスライドするようにしてある。長孔１７ｂの孔壁は、上刃把持部１２の開き角度が（使用する範囲で）最大に開いた状態となるまで第三軸３４が孔壁に当接しないようにしてある。そして最大に開いたときに、ストッパピン３５が切り欠き１０ｃに当接して動きが制限されるようにしてある。このとき、第二軸３３は下刃板２１側に引っ込められているので、長孔１７ａから外れた位置に移動することができる。
また、最大に開いた状態（ストッパピン３５が切り欠き１０ｃに当接した状態）で上刃１０ａと下刃２０ａとが全開するのではなく、刃の中程まで開くようにして切断できるようにしてある。
【００３６】
次に、第二軸３３と第三軸３４とによるテコ比の変化について、図１０を参照しつつ説明する。図１０（ａ）は第二軸３３を長孔１７ａに挿入したときのテコ比を説明する図である。
上刃把持部１２において手から力を加える力点をＦとし、刃で切断する切断点（作用点）をＣとする。
切断点Ｃと要ネジ３１との距離ａ１、要ネジ３１と第一軸３２との距離Ａ（一定）、第一軸３２と第二軸３３との距離ｂ１、第一軸３２と力点Ｆとの距離Ｂ（一定）とする。
力点Ｆに加える力をｆ１、切断点Ｃに加わる力をｆ２とすると、テコ比ｆ２／ｆ１は、以下の式（１）で表される。
ｆ２／ｆ１＝（Ａ／ａ１）×（（Ｂ＋ｂ１）／ｂ１）  ・・・（１）
【００３７】
図１０（ｂ）は第三軸３４を長孔１７ｂに挿入したときのテコ比を説明する図である。
上刃把持部１２において手から力を加える力点をＦとし、刃で切断する切断点（作用点）をＣとする。
切断点Ｃと要ネジ３１との距離ａ２、要ネジ３１と第一軸３２との距離Ａ（一定）、第一軸３２と第三軸３４との距離ｂ２、第一軸３２と力点Ｆとの距離Ｂ（一定）とする。
力点Ｆに加える力をｇ１、切断点Ｃに加わる力をｇ２とすると、テコ比ｇ２／ｇ１は、以下の式（２）で表される。
ｇ２／ｇ１＝（Ａ／ａ２）×（（Ｂ＋ｂ２）／ｂ２）  ・・・（２）
【００３８】
ここで、第二軸３３と第三軸３４の位置関係からｂ１＞ｂ２である。
把持部側の開き角度がほぼ同じ場合は、第三軸３４を用いた場合と第二軸３３を用いた場合とでは、前者の方が刃の開き角度が抑えられているのでａ２＞ａ１となる。
【００３９】
第二軸３３と第三軸３４を図１０で示した位置にした場合、第一テコ比と第二テコ比のテコ比は一方が大きく、他方が小さくなるのでテコ比は大きく変化しない。しかし、刃の開き角度は第三軸３４を用いた場合は小さく、第二軸３３を用いた場合は大きくなる。よって前者は刃の先端側で少しずつゆっくりと切断するときに用いることができ、後者は刃の根元側から大きく切断するときに用いることができる。
【００４０】
また、把持部側の開き角度が同程度であっても支点位置を変更することで刃の開き角度を変えることができるようになり、刃を大きく開いて力強く切断するだけでなく、小さく開いて刃の切先（先端部分）付近だけで丁寧に切断することもできるようになる。
【００４１】
また、下刃板２１上に形成する第二軸３３、第三軸３４の軸孔２３、２４の位置を少し調整することにより、ａ２／ａ１比よりもｂ１／ｂ２比を十分に大きくとることもできる。加えて、既述のように、第一軸孔１４、１５の位置を長孔１７ｂ（１７）の斜めに移動したり、長孔１７ｂ（１７）からの距離を調整したりして位置関係を少し調整することにより、テコ比や開き角度を変更することができる。
そして、このような調整により、第三軸３４を長孔１７ｂに挿入して小さく開いたときの方が、第二軸３３を長孔１７ｂに挿入して大きく開いたときよりも切断力が大きくなるようにすることもできる。
すなわち、大きく刃を開いて長い距離を切断するときは第二軸３３を長孔１７ｂに挿入し、小さく刃を開いて力強く軽い力で切断するときは第三軸３４を長孔１７ｂに挿入して用いることもできる。
【００４２】
（変形実施形態）
上記実施形態ではシーソースイッチ３６により第二軸３３と第三軸３４を選択的に切り替えるようにしたが、軸の切り替えをスライド機構にすることで三つ以上の位置で選択できるようにしてもよい。
図１１は本発明の変形実施形態を示す図である。上記の実施形態における第二軸孔２３、第三軸孔２４に代えて、下刃板２１に三つの軸孔４１、４２、４３を形成し、これらのいずれか一つにスライド軸４４を挿入して固定できるようにしたものである。すなわち、スライド軸４４は、中間板１３に段を設けて低頭のボルトをスライドできるようにし、下刃板２１に三箇所の座グリ孔を設けてバネ付きのキャップで止めるようにして上記三箇所で固定可能にしてある。これにより、刃の開き角度を三段階に調整できるようになる。
【００４３】
上述した実施形態ではいずれも開き角度を制限するようにしたが、切断力をより大きくする使い方を採用することもできる。その場合は、テコ比が最も大きくなる、第一軸３２に最も近い側である第三軸３４（あるいは第一軸３２に最も近い側であるスライド軸４４）に設定するようにして、ストッパピン３５と切り欠き１０ｃとの当接による開き角度の制限をなくし、把持部の開き角度が（片手で持てない程度に）大きくなるようにして刃の根元から切断することにより大きな切断力で切断できるようになる。
【００４４】
また、上述した実施形態では、主に金属板の切断加工について説明したが、本発明は板材以外を切断する際にも利用することができる。
例えば、ピアノ線等の金属ワイヤや電気工事で使用される電線等の金属線材の切断工具として用いられるニッパにおいても有効に利用できる。すなわち、ピアノ線は細いが大きな切断荷重が必要であり、電気配線用の電線はピアノ線よりも太いがピアノ線より切断荷重が小さい。よって、ピアノ線の場合は小さく開いて大きい力で切断し、電線の場合はピアノ線よりは小さい力でよいが大きく開いて切断するというように本発明を適用することができる。
【産業上の利用可能性】
【００４５】
本発明は、金属板材あるいは金属ワイヤや電線等の金属線材を切断するためのニッパを含む金切鋏に利用することができる。
【符号の説明】
【００４６】
１  金切鋏
１０  上刃鋏部
１０ａ  上刃
１０ｂ  切先
１０ｃ、１０ｄ  切り欠き
１１  上刃板
１１ａ  段差
１２  上刃把持部
１３  中間板
１４、１５  第一軸孔
１７、１７ａ、１７ｂ  長孔
１８  ピン孔
２０  下刃鋏部
２０ａ  下刃
２０ｂ  切先
２０ｃ  切り欠き
２１  下刃板
２１ａ  段差
２２  下刃把持部
２３  第二軸孔
２４  第三軸孔
３０  ネジ孔
３１  要ネジ
３２  第一軸
３３  第二軸
３４  第三軸
３５  ストッパピン
３６  シーソースイッチ（軸切替機構）
３８  ストッパピン
３９  バネ
４１、４２、４３  軸孔
４４  スライド軸
【図１】
2018057555.tif 000003
【図２】
2018057555.tif 000004
【図３】
2018057555.tif 000005
【図４】
2018057555.tif 000006
【図５】
2018057555.tif 000007
【図６】
2018057555.tif 000008
【図７】
2018057555.tif 000009
【図８】
2018057555.tif 000010
【図９】
2018057555.tif 000011
【図１０】
2018057555.tif 000012
【図１１】
2018057555.tif 000013
【図１２】
2018057555.tif 000014